(57)【要約】      （修正有）【課題】各骨と中棒が結合する部分の各骨の先端を太く丈夫にすることが可能となって強度を高めることができ、併せて、組み立て方法を従来に比べて大幅に簡略化、単純化することによって労力の削減を可能として製造コストの低減につなげる傘を提供する。【解決手段】親骨の先端を半円形状１０とし、必要本数を配した親骨１の上から輪４をいっきにはめ込む、さらにその部分を下から支える親骨支え３と上から支える親骨上支え２ではさみ込み、上下の支え３と２を中棒に固定することによって、傘の親骨として開閉に伴う機能を有するようにした発明である。【選択図】図１
2009207867.tif 000002
【特許請求の範囲】
【請求項１】
一般に傘の親骨は、親骨を集めて支点とする部分に上ロクロがあり、この上ロクロに親骨の数だけ切れ込みを入れ、ここへ先端に穴を配した親骨を差し込み、その各親骨の穴に針金等を通して縛ることによって親骨の開閉の機能を持たせてある。本発明は親骨が上ロクロに結合する部分並びに上ロクロに代わる構造に関するものであって、親骨の先端を図２の１０のように半円形状とし、必要本数の親骨を図４の１のように配置したところへ４の輪を上から差し込む。そして親骨の下の支えとなる円盤状の親骨下支え図２の３を中棒５の適位置に固定したものを下から差し込み、さらに上の親骨支えとなる図３の２を上から矢印のように下へ差し込んでから適位置で中棒へ固定する。その後、各親骨を図３の１矢印のように下へ降ろすと各親骨は完全に固定されて図２のようになり、傘の親骨として開閉に伴う機能を有するようにした発明である。
【請求項２】
一般に傘の受け骨は、受け骨を集めて中棒に接っしながらスライドする下ロクロがあり、この下ロクロには受け骨の数だけ切れ込みがある。この切れ込みへ、先端に穴を配した受け骨を差し込み、その各受け骨の穴に針金等を通して縛って下ロクロに固定する。そして、この下ロクロが中棒に沿ってスライドする機能を持たせてある。本発明は受け骨の先端部分並びに下ロクロに代わる構造に関するものであって、受け骨の先端に図５の１１のように半円形状の部分を設ける。そして、受け骨の必要本数を配置したところへ、先に中棒へ通しておいた輪６を中棒に沿って上から差し込む。さらにその上から、前もって中棒へ通しておいた受け骨上支え８を差し込み、下から受け骨下の支え９を上の支え８に差し込んで一体化させ、上の支えと下の支えが抜けないように固定する。この受け骨を集めた部分６、８、９が一体となって受け骨７を可動させながら中棒を上下にスライドして、傘の開閉に伴う機能を有するようにした発明である。
【発明の詳細な説明】
【技術分野】
【０００１】傘の親骨が可動する状態で上ロクロに結合して、上ロクロが中棒に固定される部分、及び受け骨が可動する状態で下ロクロに結合して、下ロクロが中棒に沿ってスライドする部分の構造に関する発明である。
【背景技術】
【０００２】一般に、傘の親骨が上ロクロに固定される部分、及び受け骨が下ロクロに固定される部分は、いずれも各ロクロに骨の数だけ切れ込みを入れ、そこに骨の先を挟み込み、その骨の先端にあけられた穴に針金等を通して縛る構造になっている。そして、上ロクロは中棒に固定され、下ロクロは中棒に沿ってスライドするようになっている。しかし、その構造は複雑且つ繊細なものであり、また、組み立て作業は多くの労力と高度な技を必要とし高コストを伴うものであった。
【発明の開示】
【発明が解決しようとする課題】
【０００３】本発明は、親骨が上ロクロに固定される部分と受け骨が下ロクロに固定される部分について、従来のような構造に代えて、まったく異なった構造にすることによって、各骨の先端そのものを太く丈夫にして、強度を持たせるとともに、それぞれの組み立て方法を従来に比べて大幅に簡略化、単純化することによって労力の削減が可能となり製造コストの低減につなげようとするものである。
【課題を解決するための手段】
【０００４】本発明は、上述の課題を解決するために、まず親骨が上ロクロに固定される部分にある親骨の穴に代えてその形状を図２の１０のように半円型にすることによって、従来のように針金等を一本一本の親骨の穴に通す作業を行わないで、図２の４の輪を図３の４のように全部の親骨に一度にはめ込み、その輪をはめ込んだ部分を、図３の３の円盤形状の親骨下支えを中棒の適位置に固定したものを下から差し込む、さらに親骨の上支えとなる２を中棒の上から差し込んで適位置に固定することによって図２のようになる。こうすることによって親骨は従来の傘と同様の可動ができる状態となる。また、同様に受け骨が下ロクロに結合する部分も図５のように、従来の穴に代わる半円形の部分１１に輪６を全部の受け骨に一度にはめ込み、さらにあらかじめ中棒に通しておいた受け骨上支えとなる筒状の８を差し込み、続いて受け骨下支えとなる筒状の９を下から差し込み、８と９ではさみ込むことによって、受け骨は可動できる状態で支えられ、且つ中棒に沿って上下にスライドすることができ、よって受け骨も従来の傘と同様の可動ができる機能を持たせるようにした。
【発明の効果】
【０００５】本発明によって、従来の親骨と受け骨の先端部分にある穴を無くし、半円形状にすことができ、さらに従来の上ロクロと下ロクロに代えて、親骨に関しては、上下から挟み込む円盤形状の支え板のみでその機能を果たすことができ、また、受け骨に関しても、筒状の上の支えと下の支えで挟み込むことでその機能を果たすことができるため、各親骨と各受け骨が中棒に接する部分の各骨の先端を太く丈夫にすることが可能となるため、その強度を高めることが出来る効果があるとともに、それぞれの部分の構造がシンプルになるため、製造コストを抑える効果がある。また、その組み立て作業を従来に比べて格段に簡略化及び単純化することができるので、その労力の削減によって低コストの傘を提供することができる。
【実施例１】図３のように、親骨１を必要本数並べたところへ４の輪をいっきに全部の親骨の先端の半円形状の部分にはめ込む、その後、親骨下支え３を固定した中棒を下から差し込み、続いて上から親骨上支え２を差し込む。そして、親骨１を矢印の方向へ下げると図２のように、親骨が可動できる状態で中棒に固定される。
【実施例２】図５のように、受け骨７を必要本数並べたところへ６の輪をいっきに全部の受け骨の先端の半円形状の部分にはめ込む、その後、前もって中棒に通しておいた受け骨上支えとなる筒状の８を上から下へ差し込み、続いて下から受け骨下支え９を差し込み、８と９を抜けないように固定する。よって、受け骨は可動できる状態で８と９に支えられ、６、８、９の部分は受け骨を可動させながら中棒に沿ってスライドする状態で結合する。
【図面の簡単な説明】
【０００６】
【図１】本発明に係わる側面の概略図である。
【図２】親骨の先端とそれを上と下から支える部分の概略図である。
【図３】親骨先端の半円形状部分に輪をはさみ込み、親骨下支えと中棒を通した後、親骨上支えを差し込もうとする概略図である。
【図４】図２の１２と１３の部分の切断面を上から見た断面図である。
【図５】受け骨とその先端を上と下から支える部分を示す概略図である。
【符号の説明】
【０００７】  １  親骨
１  親骨上支え
３  親骨下支え
４  親骨の輪
５  中棒
６  受け骨の輪
７  受け骨
８  受け骨上支え
９  受け骨下支え
１０  親骨の先端の半円形状の部分
１１  受け骨の先端の半円形状の部分
１２  切断面の左を表す
１３  切断面の右を表す
【図１】
2009207867.tif 000003
【図２】
2009207867.tif 000004
【図３】
2009207867.tif 000005
【図４】
2009207867.tif 000006
【図５】
2009207867.tif 000007